(57)【要約】【課題】簡便な操作で間違いなく商品注文を行うことを可能とし、商品の販売促進を図る。【解決手段】  商品に関する情報である商品情報を移動通信端末２１の表示装置２８に表示させるカタログ表示プログラムで、該プログラムは、移動通信端末を、商品情報を表示装置に表示させると共に、商品情報と一緒に、当該商品の提供者への連絡を促す表示である連絡表示（例えばＵＲＬ）を表示装置に表示させる手段、連絡表示が表示装置に表示されている間に、移動通信端末の操作ボタンが操作されたことを検出する手段、および該検出する手段が操作ボタンの操作を検出した場合に、当該表示に係る商品を特定する情報である商品特定情報（例えば商品番号）を通信回線を通じて送信する手段として機能させるものである。上記プログラムと商品情報と商品特定情報とをメモリカード１１ａに格納した電子カタログ１１をも開示する。【選択図】図１
2006004004.tif 000002
【特許請求の範囲】
【請求項１】
商品に関する情報である商品情報を移動通信端末の表示装置に表示させるプログラムであって、
該プログラムは、
前記移動通信端末を、
前記商品情報を前記表示装置に表示させるとともに、該商品情報と一緒に、当該商品の提供者への連絡を促す表示である連絡表示を前記表示装置に表示させる手段、
該連絡表示が前記表示装置に表示されている間に、前記移動通信端末の操作ボタンが操作されたことを検出する手段、および
該検出する手段が操作ボタンの操作を検出した場合に、当該表示に係る商品を特定する情報である商品特定情報を通信回線を通じて送信する手段、
として機能させるものである
ことを特徴とするカタログ表示プログラム。
【請求項２】
前記連絡表示は、ＵＲＬまたはメッセージである
ことを特徴とする請求項１に記載のカタログ表示プログラム。
【請求項３】
前記商品特定情報は、商品の種別ごとに割り付けられた番号または記号である
ことを特徴とする請求項１または２に記載のカタログ表示プログラム。
【請求項４】
商品に関する情報である商品情報を移動通信端末の表示装置に表示させるプログラムであって、
該プログラムは、
前記移動通信端末を、
前記商品情報を前記表示装置に表示させるとともに、該商品情報と一緒に、当該商品の提供者への連絡を促す表示である連絡表示を前記表示装置に表示させる手段、
該連絡表示が前記表示装置に表示されている間に、前記移動通信端末の操作ボタンが操作されたことを検出する手段、および
該検出する手段が操作ボタンの操作を検出した場合に、予め定められた電話番号にダイヤルする手段、
として機能させるものである
ことを特徴とするカタログ表示プログラム。
【請求項５】
前記連絡表示は、電話番号またはメッセージである
ことを特徴とする請求項４に記載のカタログ表示プログラム。
【請求項６】
商品に関する情報である商品情報と、
商品を特定する情報である商品特定情報と、
請求項１から５のいずれか一項に記載のカタログ表示プログラムと、
をメモリカードに格納したことを特徴とする電子カタログ。
【請求項７】
前記カタログ表示プログラムは、前記メモリカードから前記移動通信端末に対しインストールされるものである
ことを特徴とする請求項６に記載の電子カタログ。
【請求項８】
前記商品情報は、商品の画像を含む
ことを特徴とする請求項６または７に記載の電子カタログ。
【請求項９】
前記メモリカードの表面および裏面のうちの少なくとも一方の面に、シート状部材を貼付し、
該シート状部材に、当該通信販売に関連する情報を記載した
ことを特徴とする請求項６から８のいずれか一項に記載の電子カタログ。
【請求項１０】
当該通信販売に関連する情報をコード化した二次元コードを前記シート状部材に配した
ことを特徴とする請求項９に記載の電子カタログ。
【請求項１１】
前記移動通信端末のメモリカードスロットに対してメモリカードを挿入する方向を前方、メモリカードを引き抜く方向を後方とした場合に、
前記シート状部材は、
幅寸法が略前記メモリカードの幅以下であり、かつ
前記メモリカードの後方側の端縁からさらに後方に突出して前記メモリカードを前記メモリカードスロットに装着した場合に該スロットから外部に突出する長さ寸法を有する
ことを特徴とする請求項９または１０に記載の電子カタログ。
【請求項１２】
請求項１から３のいずれか一項に記載のカタログ表示プログラムによって移動通信端末から送信された商品特定情報を受信可能である通信販売用サーバ。
【請求項１３】
データの送受信を行う送受信部と、
商品の価格の情報を前記商品特定情報と対応付けて記憶した商品価格記憶部と、
前記送受信部が前記商品特定情報を受信した場合に、該商品特定情報により特定される商品の価格の情報を、前記商品価格記憶部から読み出して前記送受信部を介して前記移動通信端末に送信する見積処理部と、
を有することを特徴とする請求項１２に記載の通信販売用サーバ。
【発明の詳細な説明】
【技術分野】
【０００１】
本発明は、カタログ表示プログラムおよび電子カタログに係り、特に携帯電話機のような移動通信端末とメモリカードを使用して通信販売を行うための技術に関する。
【背景技術】
【０００２】
通信販売は、店舗設備や店員の人件費など営業諸経費を節約することができ、またマスコミによる宣伝活動によって広範な市場を獲得できる等の利点を有することから、従来からテレビショッピングやカタログショッピングとして広く利用されている。また近年では、パーソナルコンピュータとインターネットの普及により、これらを利用したオンラインショッピングを通じて様々な商品が提供されている。
【０００３】
ところで、かかる通信販売は、利便性あるいは簡便性の点で未だ完全なものとは言えず、必ずしも十分なものではない。
【０００４】
なぜなら、テレビショッピングやカタログショッピングでは、テレビ放送やカタログを見て、電話・ＦＡＸ・手紙などによって注文を行うが、注文に係る商品を特定するには一般に、商品の種別ごとに各商品に割り当てられた商品番号（または商品記号）が使用される。この商品番号は、コンピュータ処理が容易で正確かつ迅速に商品を提供できる反面、商品の種類やサイズ、色、パッケージ数量など、顧客のニーズにきめ細かく対応できるよう取扱商品が多種多様になるほど商品番号の桁数が増加することとなる。
【０００５】
このため、商品の購入者は、非常に多くの桁数の番号を間違えなく、商品提供業者に通知しなければならず、番号の記載違いから、全く別の商品が届いたり、返品や再注文の処理が必要となることがある。
【０００６】
また、テレビショッピングでは、番組中に商品の品定めを行い、電話番号をメモし、さらに商品番号をひかえる必要があり、これらの作業を商品が紹介される限られた短い時間内に行うことは容易ではない。さらにカタログショッピングでは、カタログの送付に費用がかかるうえ、豊富な写真により商品をアピール可能な紙質良好なカタログは、重量が嵩み、扱い辛い面がある。
【０００７】
一方、インターネットを利用したオンラインショッピングでは、商品の画像をクリックするだけで商品を特定することも可能である。しかしながら、パソコンを立ち上げ、サイトにアクセスする手間を要し、何時でも何処でも手軽に商品を見て購入するようなことは難しい。
【発明の開示】
【発明が解決しようとする課題】
【０００８】
したがって、本発明の目的は、より簡便な操作によって間違いなく商品の注文を行うことを可能とし、商品の販売促進を図ることを可能とする点にある。
【課題を解決するための手段】
【０００９】
前記目的を達成して課題を解決するため、本発明に係る第一のカタログ表示プログラムは、  商品に関する情報である商品情報を移動通信端末の表示装置に表示させるプログラムであって、該プログラムは、前記移動通信端末を、前記商品情報を前記表示装置に表示させるとともに、該商品情報と一緒に、当該商品の提供者への連絡を促す表示である連絡表示を前記表示装置に表示させる手段、該連絡表示が前記表示装置に表示されている間に、前記移動通信端末の操作ボタンが操作されたことを検出する手段、および該検出する手段が操作ボタンの操作を検出した場合に、当該表示に係る商品を特定する情報である商品特定情報を通信回線を通じて送信する手段として機能させるものである。
【００１０】
本発明のカタログ表示プログラムは、携帯電話機やＰＤＡなどの通信機能を備えた移動通信端末の表示装置（例えば液晶ディスプレイ）に商品情報を表示させるもので、当該商品の表示と同時に当該商品の提供者への連絡を促す表示を表示装置に表示させる。
【００１１】
商品情報（商品に関する情報）とは、商品の種類や内容を表す情報を云い、例えば商品の画像（静止画もしくは動画、またはそれら双方）や商品を説明するテキスト（文章）などが含まれる。一方、連絡表示（商品の提供者への連絡を促す表示）とは、具体的には、商品の提供者に関連するＵＲＬ（Uniform Resource Locator／例えば当該商品の提供業者のサーバにアクセスするためのアドレス情報等）、電話番号、メッセージ、適当な文字、記号、絵または図などである。
【００１２】
そして、このような連絡表示が表示装置に表示されている間に、当該移動通信端末の操作ボタンが操作されると、該ボタン操作を検出し、そのとき表示装置に表示されている商品を特定する情報（商品特定情報）が移動通信端末から通信回線を通じて送信される。この商品特定情報は、表示装置に表示される商品を特定できるものであれば特に問わない。例えば、商品の種別ごとに割り付けられた番号や記号であって良い。
【００１３】
これにより、商品の購入者は、商品番号や商品記号等を入力することなく、誤りなく迅速に商品を特定して商品提供者に通知することが可能となる。
【００１４】
また本発明では、上記移動通信端末に当該商品の見積りを返信するようにしても良い。例えば、本発明に従い自動車の電子カタログを構成する場合に、上記商品特定情報によって特定された車種について見積書を販売業者のサーバから通信ネットワークを介して上記商品特定情報が送信された移動通信端末に送信するようにすることが出来る。
【００１５】
尚、本発明に云う商品は、例えばバッグや衣服、靴、服飾品、アクセサリ、化粧品、書籍、ＣＤ、ＤＶＤ等々の有体の物品に限られるものではなく、無体物、例えばゲームや映像（動画像、静止画像）、音楽、映画、アニメーション、各種サービス（ホテル等の宿泊施設、コンサート、スポーツ、各種イベント、航空券・列車等の交通機関）の提供やその予約などの無形の商品を含むものである。
【００１６】
本発明に係る第二のカタログ表示プログラムは、商品に関する情報である商品情報を移動通信端末の表示装置に表示させるプログラムであって、該プログラムは、前記移動通信端末を、前記商品情報を前記表示装置に表示させるとともに、該商品情報と一緒に、当該商品の提供者への連絡を促す表示である連絡表示を前記表示装置に表示させる手段、該連絡表示が前記表示装置に表示されている間に、前記移動通信端末の操作ボタンが操作されたことを検出する手段、および該検出する手段が操作ボタンの操作を検出した場合に、予め定められた電話番号にダイヤルする手段として機能させるものである。
【００１７】
本発明の第二のプログラムでは、前記第一のプログラムと同様に、移動通信端末の表示装置に商品情報が表示されると同時に連絡表示が表示され、ボタン操作を検出するものであるが、ボタン操作が検出された場合には、予め定められた電話番号にダイヤルがなされる。この「予め定められた電話番号」は、例えば当該商品の提供業者の電話番号とすることが出来る。
【００１８】
このような第二のプログラムによれば、電話番号をメモしたりダイヤルボタンを押すなどの手間を要さず、簡便かつ間違いなく商品提供者に電話をかけて連絡をとることが可能となる。
【００１９】
また上記第二のプログラムでは、商品特定情報（商品を特定する情報／例えば商品番号や商品記号）を商品情報と一緒に表示装置に表示させても良い。顧客は、商品とともに表示された商品特定情報を例えばメモし、電話が通じたら、オペレータあるいは音声自動応答システム（音声ガイド）に対して当該商品特定情報を読み上げることにより、容易かつ正確に自分が選んだ商品を知らせることが出来る。
【００２０】
連絡表示（商品の提供者への連絡を促す表示）は、前記第一のプログラムでは、移動通信端末装置が利用可能なネット（インターネット等）接続サービスを通じて商品提供者に連絡をとるため、ＵＲＬまたはメッセージ（例えば「○○○サイトにアクセス」「接続」「この商品を購入」等々）とすることが望ましい。これにより、インターネット等を通じて直ちに商品提供者に連絡がとれることを顧客に認識させることが出来るからである。一方、上記第二のプログラムでは、ダイヤル通話（電話）を通じて商品提供者に連絡を行うため、連絡表示は、電話番号またはメッセージ（例えば「○○○（会社名）」「ダイヤル」「この商品を購入」等々）とすることが好ましい。これにより、商品提供者に直ちに電話できることを顧客に認識させることが可能となる。
【００２１】
また、本発明に係る電子カタログは、商品に関する情報である商品情報と、商品を特定する情報である商品特定情報と、上記いずれかのカタログ表示プログラムとをメモリカードに格納したものである。
【００２２】
パーソナルコンピュータとインターネットを利用したもの、あるいは移動通信端末を利用したものであっても従来の通信販売では、ネットに接続した状態で商品の検索や閲覧を行う必要があった。このため、接続費用が嵩むとともに、通信速度やサーバへのアクセスの混雑状況等によって商品の検索や閲覧を迅速に行うことが出来ない場合があった。これに対し、上記本発明の電子カタログによれば、メモリカード内に商品情報が格納されているから、商品を選ぶときにネットワークに接続する必要がなく、メモリカードを移動通信端末に差し込んで、通信速度等に依存せずに高速で商品検索や商品閲覧を行うことが出来る。また、メモリカードに格納されたかかる電子カタログは、小さく軽く、持ち運びも非常に容易である。
【００２３】
さらに、上記カタログ表示プログラムには、キーワードによる商品検索を可能とするキーワード検索機能を付加しておいても良い。このような構成によれば、より迅速に望みの商品を見つけ出すことが出来る。例えば、或るメーカの春物の白いショルダーバッグを探しているときに、キーワードとして「○○○（メーカ名）」や「バッグ」、「ショルダー」、「白」、「春物」等の語を入力して検索することによって、直ちに当該商品を見つけ出すようなことが可能となる。
【００２４】
上記電子カタログに含まれるカタログ表示プログラムは、前記メモリカードから前記移動通信端末に対しインストールされることがある。
【００２５】
また、上記電子カタログでは、メモリカードの表面および裏面のうちの少なくとも一方の面にシート状部材を貼付し、該シート状部材に、当該通信販売に関連する情報を記載する場合がある。
【００２６】
このような電子カタログによれば、例えば多数のメモリカードを所持している場合でも、当該メモリカードが電子カタログである旨がひと目でわかり便利であるとともに、当該電子カタログを閲覧することを顧客に促すことが出来る。
【００２７】
また、当該通信販売に関連する情報をコード化した二次元コード（例えばＱＲコード）を前記シート状部材に配しても良い。
【００２８】
付属されたカメラで撮影することにより二次元コードを読み取ることが可能な移動通信端末（例えばカメラ付き携帯電話）が近年提供されている。上記カタログ構成によれば、このような端末で二次元コードを読み取ることによって一層簡便に当該通信販売の利用方法を画面（表示装置）に表示させて顧客に説明することが可能となる。
【００２９】
さらに、上記電子カタログでは、移動通信端末のメモリカードスロットに対してメモリカードを挿入する方向を前方、メモリカードを引き抜く方向を後方とした場合に、前記シート状部材は、幅寸法が略前記メモリカードの幅以下であり、かつ前記メモリカードの後方側の端縁からさらに後方に突出して前記メモリカードを前記メモリカードスロットに装着した場合に該スロットから外部に突出する長さ寸法を有するものとする場合がある。
【００３０】
前記シート状部材をこのような構成とすれば、シート状部材のメモリカード後方端縁から突出した部分を把持することによって容易に移動通信端末のメモリカードスロットへメモリカードを抜き差しすることが出来る。また、メモリカードスロットから突出したシート状部材の部分に様々な画像や文字等を記載しておくことによって当該移動通信端末の使用者に通信販売を行っていることを意識させ、またかかるシート状部材に配した画像や文字等を周囲の者に見せることによって印象付けることも可能となる。
【００３１】
また、本発明に係る通信販売用サーバは、前記第一のカタログ表示プログラムによって移動通信端末から送信された商品特定情報を受信可能なものである。
【００３２】
上記サーバは、データの送受信を行う送受信部と、商品の価格の情報を前記商品特定情報と対応付けて記憶した商品価格記憶部と、前記送受信部が前記商品特定情報を受信した場合に、該商品特定情報により特定される商品の価格の情報を、前記商品価格記憶部から読み出して前記送受信部を介して前記移動通信端末に送信する見積処理部とを有することがある。
【発明の効果】
【００３３】
本発明によれば、より簡便な操作によって間違いなく商品の注文を行い、商品の販売促進を図ることが出来る。
【００３４】
本発明の他の目的、特徴および利点は、以下の本発明の実施の形態の説明により明らかにする。
【発明を実施するための最良の形態】
【００３５】
図１は、本発明の一実施形態に係る電子カタログを使用した通信販売システムを示すものである。同図に示すように本実施形態の電子カタログ１１は、メモリカード１１ａ内の記憶部１２に、カタログ表示プログラム１３と商品データベース１４とを格納したもので、カタログ表示プログラム１３は、携帯電話機２１にインストールされた後、使用される。尚、本実施形態では、移動通信端末として携帯電話機２１を使用するが、本発明にいう移動通信端末には、携帯電話機のほか、通信機能を備えた各種の端末装置（例えばＰＤＡやモバイルパソコン等）が含まれる。
【００３６】
メモリカード１１ａは、フラッシュメモリ１２およびコントローラ（制御部）１５を内蔵した各種のメモリカードであって良い。例えば、ＳＤメモリカード（ＳＤ  ｍｅｍｏｒｙ  ｃａｒｄ）、ミニＳＤカード（Ｍｉｎｉ  ＳＤ）、メモリースティック（Ｍｅｍｏｒｙ  Ｓｔｉｃｋ／商標）、メモリースティック デュオ（Ｍｅｍｏｒｙ  Ｓｔｉｃｋ  Ｄｕｏ／商標）、コンパクトフラッシュ（Ｃｏｍｐａｃｔ  Ｆｌａｓｈ／商標）、スマートメディア（Ｓｍａｒｔ  Ｍｅｄｉａ／商標）、マルチメディアカード（Ｍｕｌｔｉｍｅｄｉａ  Ｃａｒｄ）等をメモリカードとして使用することが出来る。
【００３７】
商品データベース１４には、様々な商品のデータとして、商品の画像データおよび商品を説明するテキストデータ（商品情報）、商品を特定する商品番号（または商品記号）データ、前記連絡表示を行うためのＵＲＬ（または電話番号または予め定められたメッセージ等）のデータが格納され、さらに音楽や効果音、商品説明音声等の音声データが格納されている。画像データとしては、静止画および動画のいずれか、またはそれらの双方を格納することが出来る。画像データの形式は特に問わない。静止画データとしては、例えばＢＭＰ、ＪＰＥＧ等、動画データとしては、例えばＭＰＥＧその他の形式によることが可能である。
【００３８】
メモリカード１１ａ内に格納されたカタログ表示プログラム１３は、携帯電話機２１のメモリカードスロットを通じて携帯電話機２１に伝送され、携帯電話機２１の記憶部２３に格納される。記憶部２３は、不揮発性のメモリにより構成され、当該カタログ表示プログラムを一度インストールすれば、以降は直ちに商品データベース１４を参照するのに使用することが出来る。
【００３９】
図１では、当該カタログ表示プログラムが携帯電話機にインストールされた状態を機能ブロック図として示している。すなわち、当該カタログ表示プログラムがインストールされた携帯電話機２１は、液晶表示ディスプレイ２８（表示装置）へのカタログ表示や商品特定情報の送信等の各種処理を行うカタログ表示処理部２２と、ディスプレイ２８にＵＲＬ等（連絡表示）の表示を行うＵＲＬ等表示部２４と、携帯電話機２１の操作ボタン２９の操作を検出するボタン操作検出部２５と、メモリカード１１ａ内の商品データベース１４からキーワードに基づいて所望の情報を検索するキーワード検索部２６とを備えている。さらに携帯電話機２１は、スピーカおよびヘッドフォン出力端子３０、並びに公衆通信網４１を通じてデータや音声信号を送受信しまたダイヤル処理を行う送受信部２７を有する。
【００４０】
カタログ表示処理部２２は、電子カタログ１１（メモリカード１１ａ）の記憶部１２内に格納されたカタログ表示プログラム１３を読み出し、記憶部２３に格納する。一方、電子カタログ１１の閲覧にあたってカタログ表示処理部２２は、キーワード検索部２６を介してメモリカード１１ａ内の商品データベース１４から商品を検索する。検索された商品のデータ（画像データ、テキストデータ、音声データおよびＵＲＬデータ等）は、商品データベース１４からカタログ表示処理部２２に伝送され、該商品データに基づいてカタログ表示処理部２２は、商品の画像や説明テキスト等をディスプレイ２８に表示し、上記商品データ中の音声データに基づいて生成した音声信号をスピーカやヘッドフォン端子３０に出力する。これにより、顧客は音楽や音声を聴きながら、商品の画像等を観てショッピングを楽しむことが出来る。
【００４１】
ここで、本実施形態では、カタログ表示処理部２２が、ＵＲＬ等表示部２４を介して図２に示すように商品提供業者のサーバ４２へのアクセスを促す表示としてＵＲＬ５１を商品の画像（図２では商品の画像は図示せず）とともにディスプレイ２８に表示させる。このように商品の画像と一緒にＵＲＬ５１を表示することで、当該商品の販売業者に直ちにアクセスできることを顧客に印象付け、効果的に接続・商品購入を促すことが出来る。ＵＲＬ５１の表示位置は、図示のように画面の略中央とすることが、上記顧客への印象付けの点で好ましい。
【００４２】
ＵＲＬの表示５１は、商品の画像が静止画の場合には、所定の画面（画像）についてＵＲＬを表示させるようにする。一方、動画の場合には、フレームごとに画面を管理し、例えば所定数の連続する一連のフレームについてＵＲＬを表示するようにすれば良い。
【００４３】
また、かかるＵＲＬの表示は、商品の画像が表示されている間、常に表示させておくことも可能であるが、一定の期間のみ表示（例えば商品の画像表示開始後一定時間経過後に表示させたり、間欠的に表示するなど）させるようにしても構わない。さらにＵＲＬに代え、様々なメッセージ（例えば「○○○サイトにアクセス」「接続」「この商品を購入」等々）を表示させるようにすることも可能である。
【００４４】
一方、ボタン操作検出部２５は、上記ＵＲＬの表示中に操作ボタン２９が操作された否かを検出する。ボタン操作検出部２５がボタン操作を検出すると、該検出に基づいてカタログ表示処理部２２は当該検出時にディスプレイ２８に表示されている商品に係る商品特定情報（例えば商品番号データ）を、送受信部２７を介して公衆通信網経由で販売業者サーバ４２に送信する。尚、ボタン操作検出部２５が検出する当該操作に係るボタンは、特に限定されるものではないが、例えば携帯電話機の中央ボタン（いわゆる「決定ボタン」あるいは「センターキー」／図５の符号２９参照）とすることが操作性の点で好ましい。
【００４５】
また、上記商品特定情報を受信した場合に、販売業者サーバがその商品の見積りを携帯電話機に返信するようにすることも可能である。すなわち、図３は販売業者サーバの一構成例を示すもので、このサーバ４２は、通信回線４１を介してデータの送受信を行う送受信部４５と、商品の価格情報を商品特定情報と対応付けて記憶した商品価格データベース４７と、商品の価格を検索して見積りとして送信する見積処理部４６とを備えている。
【００４６】
送受信部４５が商品特定情報を受信すると、見積処理部４６は、商品価格データベース４７を検索し、当該商品特定情報に対応する商品の価格を商品価格データベース４７から得る。そしてこの商品価格情報を見積りとして送受信部４５および通信回線４１を介して携帯電話機２１に送信する。このような構成によれば、例えば、本発明に従い自動車の電子カタログを構成したような場合に、上記商品特定情報によって特定された車種について見積りを直ちに入手することができ、顧客にとって利便性が高くなる。
【００４７】
また、本発明の別の実施形態では、ボタン操作検出部２５がボタン操作を検出すると、カタログ表示処理部２２は送受信部２７を介して公衆通信網（公衆電話網）に接続された販売業者の電話機４３にダイヤルするように構成することも可能である。この場合、上記ＵＲＬの表示５１に代え、カタログ表示処理部２２は、販売業者の電話番号あるいはメッセージ（例えば「○○○（会社名）」「ダイヤル」「この商品を購入」等々）をディスプレイ２８に表示する。この場合、ダイヤル通話によるため商品特定情報は送信されないが、送受信部２７が別途、データ通信により商品特定情報を販売業者サーバ４２に送信するようにしても良い。
【００４８】
図４は、本実施形態におけるカタログ表示処理の手順を示すものである。同図に示すように携帯電話機２１のメモリカードスロットに本実施形態に係る電子カタログ１１（メモリカード１１ａ）が挿入されると（ステップＳ３０１）、電子カタログ１１内のカタログ表示プログラム１３が携帯電話機２１に伝送されて記憶部２３に格納され、当該表示プログラム１３が携帯電話機２１にインストールされる（ステップＳ３０２）。
【００４９】
カタログ表示プログラムを起動させ（ステップＳ３０３）、商品検索を行う（ステップＳ３０４）。商品を選択すると、当該商品の画像が再生され（ステップＳ３０５）、同時に前記図２に示したようなＵＲＬ表示５１が行われる（ステップＳ３０６）。
【００５０】
ここで、操作ボタン２９が押されると（ステップＳ３０７）、接続の可否を操作者に確認する確認メッセージがカタログ表示処理部２２によってディスプレイ２８に表示された後（ステップＳ３０８）、販売業者のサーバ４２に接続され（ステップＳ３０９）、商品番号データが送信される（ステップＳ３１０）。以降、当該商品の決済処理（図示せず）等が行われる。一方、ボタン操作が行われない場合には（ステップＳ３０７）、当該商品の画像表示が終了した後、再び商品検索用の画面が表示される（ステップＳ３０４）。
【００５１】
尚、商品情報の表示方法や順序、検索機能の有無等は、本発明では種々であって良く、特に限定されない。例えばキーワード検索部２６により検索し選択した商品についてのみ表示する方式であっても良いし、総ての商品、あるいは商品カテゴリ（例えば「バッグ」「靴」等）やブランド、販売店等の種々の観点からの商品集合内の全商品を順に表示していく方式等によることも可能である。また、本実施形態では、メモリカード内の商品データベース１４から商品情報を得ることが可能であるが、ネットワーク４１を経由して販売業者のサーバ４２から各商品についてさらに詳細な情報を得るように構成しても良い。
【００５２】
図５は、本実施形態に係る電子カタログの外観構成を示すものである。同図に示すように電子カタログ１１は、メモリカード１１ａの筐体の表面にシートラベル６１（シート状部材）を貼付してなる。シートラベル６１は、紙、合成紙あるいは樹脂フィルム等により形成し、長方形の平面形状を有する。シートラベル６１の表面（または裏面、表裏両面でも良い）には、当該通信販売に関する表記や説明書き、絵、図、マーク等の各種記載６５を印刷することが出来る。また、二次元コード６６をシートラベル６１に印刷し、該二次元コード６６に当該通信販売の案内や説明をコード化して含ませても良い。尚、メモリカード１１ａには、前に述べたようにカタログ表示プログラムと商品データベースとを格納してある。
【００５３】
シートラベル６１の幅寸法Ｗは、携帯電話機のメモリカードスロットへのメモリカードの挿入を邪魔することなくかつシートラベル６１を把持してメモリカード１１ａをメモリカードスロットに対し容易に抜き差し出来るように、メモリカード１１ａの筐体の幅寸法と略同一としてある。一方、シートラベル６１の長さ寸法Ｌは、メモリカード１１ａの長さより長くしてあり、接続端子７１が形成された筐体端部（メモリカード前端）と反対側の筐体端部（メモリカード後端）から、略メモリカードの長さ寸法だけ後方にシートラベル６１を突出させてある（以下、このシートラベルの突出部分６１ａを「ラベル突出部」という）。尚、シートラベル６１の厚さは、メモリカードスロットへのメモリカード１１ａの挿入を妨げない寸法とする。
【００５４】
したがって、図６に示すようにメモリカードをメモリカードスロットに装着した場合には、ラベル突出部６１ａが携帯電話機２１から飛び出すこととなる。この飛び出したラベル突出部６１ａを把持して容易に本実施形態の電子カタログ１１（メモリカード１１ａ）をスロットから引抜くことが出来る。また、差し込むときも同様に操作が容易となる。さらに、ラベル突出部６１ａに様々な図画や文字等を記載しておくことによって当該携帯電話機２１の使用者に通信販売を行っていることを意識させ、また周囲の者に当該通信販売サービスを印象付けることも出来る。
【００５５】
図７は、本実施形態に係る電子カタログの別の外観構成例を示すものである。前記図５に示した例では、メモリカード１１ａの一方の面にラベルシート６１を配したが、この例は、メモリカード１１ａの両面にラベルシート６２，６３を配したものである。各ラベルシート６２，６３は同様に、メモリカード１１ａから突出したラベル突出部６２ａ，６３ａを有しており、図７（ｂ）に示すように各ラベル突出部６２ａ，６３ａを背中合わせに一体に貼り合せてある。このようなラベル構造によれば、ラベル突出部の強度が向上するから、メモリカードスロットへの電子カタログ１１の抜き差しが頻繁に行われるような場合であってもこれをより確実に行うことが出来る。また、各ラベルシート６２，６３の表面には、前記ラベルシート６１と同様に、様々な記載６５や二次元コード６６を配することが可能である。
【００５６】
本実施形態の電子カタログは、例えば店頭や街頭、各種イベントなどで頒布しあるいは郵送等により提供することが可能なものであるが、このとき冊子や台紙に本電子カタログを貼付し、提供するようにすることも出来る。図８はこのような例を示すもので、図示の例では、見開き状の台紙７５に電子カタログ１１を貼付してある。台紙７５には、様々な説明記載６５，６７や商品の画像６８を印刷することが出来る。また、詳しい商品情報等をコード化した二次元コード６６を配しておいても良い。
【００５７】
本実施形態の電子カタログによれば、顧客は携帯電話機で手軽に商品の画像を見てボタンを押すだけの簡単な操作で誤りなく商品を選択することが出来る。一方、商品の提供業者は、商品特定データ（商品番号等）を入手することにより、顧客の望む商品を直ちに特定することが出来る。
【００５８】
以上、本発明の実施の形態（および実施例）について説明したが、本発明はこれらに限定されるものではなく、特許請求の範囲に記載の範囲内で種々の変更を行うことができることは当業者に明らかである。
【００５９】
例えば、メモリカードに格納されたカタログ表示プログラムは、移動通信端末にダウンロードされて使用されるソフトウエアとして説明したが、メモリカード内に格納されたまま上記諸機能を移動通信端末に発揮させるようにすることも可能である。また、商品特定情報として、商品番号や商品記号でなく、ＵＲＬデータを使用しても良い。商品の種別ごとに異なったＵＲＬを設定し、商品の種別ごとにウエブページを用意しておけば、当該ウエブページへのアクセスをもって商品を特定することが出来るからである。
【図面の簡単な説明】
【００６０】
【図１】本発明の一実施形態に係る電子カタログを使用した通信販売システムを示す図である。
【図２】上記実施形態の電子カタログによる携帯電話機の表示画面を示す図である。
【図３】上記通信販売システムにおける販売業者サーバの一例を示すブロック図である。
【図４】上記実施形態の電子カタログによる処理を示すフローチャートである。
【図５】上記実施形態に係る電子カタログの外観構成を示す図であり、（ａ）はメモリカードの表面側を、（ｂ）は側面側を、（ｃ）は裏面側をそれぞれ示す。
【図６】上記実施形態の電子カタログを携帯電話機に装着した状態を示す図である。
【図７】上記実施形態に係る電子カタログの別の外観構成例を示す図であり、（ａ）はメモリカードの表面側を、（ｂ）は側面側を、（ｃ）は裏面側をそれぞれ示す。
【図８】上記実施形態の電子カタログを台紙に配した例を示す図である。
【符号の説明】
【００６１】
１１  電子カタログ
１１ａ  メモリカード
１２  記憶部（フラッシュメモリ）
１３  カタログ表示プログラム
１４  商品データベース
１５  コントローラ
２１  携帯電話機
２２  カタログ表示処理部
２３  記憶部
２４  ＵＲＬ等表示部
２５  ボタン操作検出部
２６  キーワード検索部
２７  送受信部
２８  ディスプレイ
２９  操作ボタン（決定ボタンまたはセンターキー）
３０  スピーカ・ヘッドフォン端子
４１  公衆通信網
４２  販売業者サーバ
４３  販売業者電話機
４５  送受信部
４６  見積処理部
４７  商品価格データベース
５１  ＵＲＬ表示（連絡表示）
６１，６２，６３  シートラベル
６１ａ，６２ａ，６３ａ  ラベル突出部
６５，６７  各種記載
６６  二次元コード
６８  画像
７１  接続端子
７５  台紙
【図１】
2006004004.tif 000003
【図２】
2006004004.tif 000004
【図３】
2006004004.tif 000005
【図４】
2006004004.tif 000006
【図５】
2006004004.tif 000007
【図６】
2006004004.tif 000008
【図７】
2006004004.tif 000009
【図８】
2006004004.tif 000010